(57)【要約】【課題】電線を接続する複数の端子が設けられた端子台において、端子間を短絡する必要が発生した際、端子のねじに触れることなく、かつ工具を何ら使用することなく、短絡状態にすることが可能で、かつその短絡状態が容易に認識可能とする端子台を提供する。【解決手段】端子２０が端子台５０を形成する本体１の台座１Ａの取付部９に設けられており、台座１Ａには短絡板５が挿入される開口７が設けられ、短絡板５が開口７内をスライド移動して隣接する端子２０のめねじ部３Ａの下部を短絡状態とする。【選択図】図１
2017188343.tif 000002
【特許請求の範囲】
【請求項１】
電線を接続する端子ねじおよびめねじ部を有する端子が、所定の間隔で複数個設けられた端子台において、前記端子は前記端子台を形成する本体の台座の取付部上に設けられており、前記台座には短絡板が挿入される開口が設けられ、前記短絡板が前記開口内をスライド移動することで、前記短絡板に設置された導体が、前記所定の間隔で設けられた複数の端子の内の隣接する前記端子のめねじ部の下部を短絡状態とする端子台。
【請求項２】
電線を接続する端子ねじおよびめねじ部を有する端子が、所定の間隔で複数個設けられた端子台において、前記端子は前記端子台を形成する本体の台座の取付部上に設けられており、前記本体に設けられている側隔壁の内、前記所定の間隔で設けられた複数の端子間の側隔壁が、前記台座から離脱可能に設けられ、前記端子のめねじ部には、バネ性を備えたＣ字形状の接触部が接合されており、前記離脱可能な側隔壁が隣接する前記めねじ部の前記接触部に差し込まれた状態から、前記台座の上方に抜き上げられることで前記隣接する前記端子のめねじ部が短絡状態となる端子台。
【請求項３】
前記短絡板は前記導体と、絶縁材の操作部とが一体化して形成されており、前記短絡板は前記操作部が前記開口より突出するよう挿入されている請求項１に記載の端子台。
【請求項４】
前記開口は、前記台座の前面および背面に設けられているとともに、前記所定の間隔の隣接するめねじ部の各中央部分に設けられている請求項１に記載の端子台。
【請求項５】
前記開口は、前記本体の対面隔壁の上面から、前記取付部の前記端子の前記めねじ部下部に到るよう貫通して設けられている請求項３に記載の端子台。
【請求項６】
前記開口は、前記台座の下面に設けられている請求項３に記載の端子台。
【請求項７】
前記１箇所の開口に１個の短絡板が挿入されている請求項４から請求項６のいずれか１項に記載の端子台。
【請求項８】
前記開口は、前記台座の前面および背面であって前記台座の長手方向の中央付近１箇所に設けられているとともに、前記短絡板は前記複数の導体を連結する導電性の連結体と、絶縁材の操作部とが一体化して形成されており、前記短絡板は前記操作部が前記開口から突出するよう挿入されている請求項１に記載の端子台。
【請求項９】
前記開口は、前記台座の両側面に設けられているとともに、前記短絡板は前記複数の導体と、絶縁材の操作部が一体化して形成されており、前記短絡板は前記操作部が前記開口から突出するよう挿入されている請求項１に記載の端子台。
【発明の詳細な説明】
【技術分野】
【０００１】
この発明は、配電盤や制御盤あるいは機器等の配線の接続や分岐または中継を行うために用いられる端子台に関するもので、特に同一端子に複数の電線を接続することなく、分散接続（短絡接続）が可能なものである。
【背景技術】
【０００２】
従来より、端子台で隣り合う端子間を導通させるため、各端子に短絡線を接続していた。その一例として隣接端子間隔壁部に、隣接両端子金具に同時に接触可能な導電体が配設され、前記導電体は、ピンの下端に導電平板が固着され、ピンが回転可能に嵌合された技術が開示されている（例えば、特許文献１参照）。
【先行技術文献】
【特許文献】
【０００３】
【特許文献１】実開平１−１５９３６８号公報
【発明の概要】
【発明が解決しようとする課題】
【０００４】
しかしながら、上記特許文献１に示された技術は、端子間の導通絶縁を切り替える際に、マイナスドライバー等の工具を使用する必要がある。さらに、端子間の導通絶縁を切り替えるためのピンが、端子台の文字板を設置する部分に設けられており、文字板の設置後に端子間の導通状態を確認するためには、文字板を取り外す必要があるという問題点がある。
【０００５】
この発明は、上記のような課題を解決するためになされたものであって、端子間を短絡する際の電線接続作業および電線、端子の削減を可能とするとともに、短絡、絶縁の切り替えを工具を使用することなく、また文字板を取り外す必要なく行うことを可能とするとともに、端子間の短絡状態、絶縁状態を容易に認識可能とする端子台を提供することを目的とする。
【課題を解決するための手段】
【０００６】
第１の発明の端子台は、電線を接続する端子ねじおよびめねじ部を有する端子が、所定の間隔で複数個設けられた端子台において、前記端子は前記端子台を形成する本体の台座の取付部上に設けられており、前記台座には短絡板が挿入される開口が設けられ、前記短絡板が前記開口内をスライド移動することで、前記短絡板に設置された導体が、前記所定の間隔で設けられた複数の端子の内の隣接する前記端子のめねじ部の下部を短絡状態とするものであり、
また、第２の発明の端子台は、電線を接続する端子ねじおよびめねじ部を有する端子が、所定の間隔で複数個設けられた端子台において、前記端子は前記端子台を形成する本体の台座の取付部上に設けられており、前記本体に設けられている側隔壁の内、前記所定の間隔で設けられた複数の端子間の側隔壁が、前記台座から離脱可能に設けられ、前記端子のめねじ部には、バネ性を備えたＣ字形状の接触部が接合されており、前記離脱可能な側隔壁が隣接する前記めねじ部の前記接触部に差し込まれた状態から、前記台座の上方に抜き上げられることで前記隣接する前記端子のめねじ部が短絡状態となるものである。
【発明の効果】
【０００７】
第１の発明および第２の発明は、上記のような構成を採用しているので、複数の取付部上に設けられためねじ部の相互間を容易に短絡状態または絶縁状態と工具等を使用することなく実現することができ、かつ、端子間の短絡または絶縁状態を容易に判断できるという効果がある。
【図面の簡単な説明】
【０００８】
【図１】実施の形態１の端子台を示す斜視図である。
【図２】実施の形態１の端子台の動作を説明する断面図である。
【図３】実施の形態１の短絡板を示す斜視図である。
【図４】実施の形態２の端子台を示す斜視図である。
【図５】実施の形態２の端子台の動作を説明する部分断面図である。
【図６】実施の形態２の短絡板を示す斜視図である。
【図７】実施の形態３の端子台を示す斜視図である。
【図８】実施の形態３の端子台の動作を説明する部分断面図である。
【図９】実施の形態４の端子台を示す斜視図である。
【図１０】実施の形態４の端子台の動作を説明する図である。
【図１１】実施の形態４の端子台の動作を説明する図である。
【図１２】実施の形態４の短絡板を示す斜視図である。
【図１３】実施の形態５の端子台を示す斜視図である。
【図１４】実施の形態５の端子台の動作を説明する図である。
【図１５】実施の形態５の端子台の動作を説明する図である。
【図１６】実施の形態５の短絡板を示す斜視図である。
【図１７】実施の形態６の端子台の動作を説明する図である。
【図１８】実施の形態６の端子台の動作を説明する図である。
【発明を実施するための形態】
【０００９】
実施の形態１．
以下、この発明の実施の形態１を図１〜図３に基づいて説明する。図１は端子台５０を示す斜視図である。図２は動作を説明する拡大断面図である。図３は短絡板５の斜視図である。図１において、端子台５０には絶縁材で構成された本体１と、この本体１に取り付けられ配電盤や諸機器等との信号を伝送するための電気的接続を行う電線８を、本体１に固定する端子ねじ２Ａおよびめねじ部３Ａと、本体１の台座１Ａの前面および背面に設けられた開口７と、その開口７に挿入された短絡板５とが設けられている。尚、上記端子ねじ２Ａとめねじ部３Ａとを端子２０と呼称する。
【００１０】
図１、図２に示すように本体１には、上面形状をＨ字状で区切られ、端子２０の端子ねじ２Ａ、めねじ部３Ａを取り付けるための複数の取付部９のブロックＳ１〜Ｓ４が設けられている。この実施の形態１では取付部９は本体１の手前側に４箇所、後方側に４箇所の計８箇所設けられている。但し、少なくとも片側に２箇所以上設けられている場合に、後述する実施の形態２他を含め、この発明は適用可能である。
取付部９は、台座１Ａより上方に突出した側隔壁４と、この側隔壁４間をつなぐ対面隔壁４Ａで囲まれて形成されている。
【００１１】
台座１Ａの前面および背面に設けられた開口７には、後述する短絡板５がスライド可能なように設けられる。この短絡板５は前記複数のブロックＳ１〜Ｓ４の取付部９に設けられた隣接するブロック間のめねじ部３Ａを短絡または絶縁する機能を備えている。尚、開口７は所定の間隔の隣接するめねじ部３Ａの各中央部分に設けられている。
【００１２】
前記Ｓ１〜Ｓ４の各ブロックには、前述した同一種類、同一機能の端子２０である端子ねじ２Ａ、めねじ部３Ａが設けられている。図２に示すようにＳ１ブロックの端子２０にはサフィックスＡ、Ｓ２ブロックにはサフィックスＢ、Ｓ３ブロックにはサフィックスＣ、Ｓ４ブロックにはサフィックスＤを付している。尚、以下の説明ではＳ１ブロックを代表と説明する。
【００１３】
上記開口７は、図２に示すように取付部９の上面に設けられるめねじ部３Ａの下面であって、Ｓ１ブロックとＳ２ブロック間の中央部分に開口幅Ｗ２、深さＨで、図示されてないめねじ部３Ａの奥行寸法と同じか、もしくはそれ以上の奥行深さを有している。この開口７は図１、図２では台座１Ａの手前側、背面側の計６箇所設けられている。
【００１４】
尚、開口幅Ｗ２は後述する短絡板５の導体５Ａの幅Ｗ１より大きく、導体５Ａがスライド移動してめねじ部３Ａと隣接するめねじ部３Ｂとを短絡、または絶縁をするのに適した開口幅Ｗ２としている。また、開口深さＨも導体５Ａの厚さＴ以上とし、短絡板５のスライドを容易とする寸法であればよい。また、導体５Ａの下面にはスライド性向上およびめねじ部３Ａとの接触性向上の為に皿バネもしくは板バネ等を設けた構成であってもよい。
【００１５】
短絡板５は図３に示すように、導体５Ａに一体化形成された絶縁材の操作部６とによって構成され、開口７に導体５Ａがめねじ部３Ａの下面と接するよう、かつ操作部６が台座１Ａから突出するよう挿入されている。この短絡板５は操作部６を押し引きすることで開口７内を図２の左右方向にスライドすることで隣接するブロック間の電気的接続を短絡状態あるいは絶縁状態とする。
尚、本体１は短絡板５の挿入、組立が容易となるよう、台座１Ａ等が板材をねじ止め等で構成されている。
【００１６】
次に、動作について説明する。手動にて開口７から突出する短絡板５の操作部６を押し引きして開口７内で導体５Ａにスライド移動させる。図２に示す例ではブロックＳ１とブロックＳ２間に導体５Ａが位置し、ブロックＳ１の通電部であるめねじ部３ＡとブロックＳ２のめねじ部３Ｂとを短絡している。
【００１７】
また、ブロックＳ２とブロックＳ３、およびブロックＳ３とブロックＳ４間は、開口７の右端に導体５Ａが位置し、上記ブロックＳ２とブロックＳ３、およびブロックＳ３とブロックＳ４間は電気的に絶縁されている。上記短絡状態または絶縁状態は、本体１の前面および背面の開口７から、操作部６が突出するとともに、開口７に対する操作部６の位置関係から容易に確認できる。
【００１８】
このように、短絡板５をスライド移動させることで、ブロック間の端子を工具を用いることなく接続（短絡）あるいは開放（絶縁）することができ、端子間を結ぶ余分な渡り線の布設が不要となり、また、端子台本体１の前面、および背面の操作部６の位置によってブロック間の短絡あるいは絶縁状態が容易に確認できるという効果がある。
【００１９】
実施の形態２．
次に、実施の形態２を図４〜図６に基づいて説明する。図４は端子台５０の斜視図である。図５は断面投影図である。図６は短絡板５の斜視図である。図４に示すように、この実施の形態２の端子台５０は、本体１の対面隔壁４Ａに開口７を設け、短絡板５を図６に示すように導体５Ａと操作部６をＬ字状としたものである。図５は短絡板５を開口７に設置し、ブロックＳ１のめねじ部３ＡとブロックＳ２のめねじ部３Ｂとを導体５Ａで短絡状態を示している。また、図４に示すようにブロックＳ２とブロックＳ３およびブロックＳ３とブロックＳ４間も短絡状態を示している。
【００２０】
この実施の形態２の開口７は、対面隔壁４Ａの上面から、実施の形態１と同様の幅Ｗ２で取付部９の上面から深さＨに到るまで貫通して設けられている。尚、図４に示すようにこの開口７は、手前側と、後方側の両側ブロックＳ１とブロックＳ２の取付部９のそれぞれのめねじ部３Ａとめねじ部３Ｂをそれぞれに短絡、絶縁できるよう隣接する。例えばめねじ部３Ａとめねじ部３Ｂの中央位置に設ける例を示したが、片側のみの３個の開口７と短絡板５を有する端子台５０であってもよい。動作は実施の形態１と同じである。この実施の形態２では、端子台５０に電線８が接続された状態であっても、電線８に干渉されることなく、操作部６の操作が容易となるという効果がある。
【００２１】
実施の形態３．
実施の形態３による端子台５０を図７、図８に示す。この図７、図８による端子台５０は、図１に示した端子台５０を上下逆に配置して示したものであり、図１との相違は、図１では開口７が本体１の台座１Ａの前面および背面に設けられていたが、この実施の形態３による図７では、上下逆配置した端子台５０の開口７を本体１の台座１Ａの下面に設けるとともに、図８の部分断面図に示すようにその開口７に短絡板５を挿入したものである。この図８ではブロックＳ１のめねじ部３ＡとブロックＳ２のめねじ部３Ｂが導体５Ａで短絡された状態を示している。それ以外は実施の形態１と同様である。このような構成を採用することのメリットは、作業員の手が接触すること等により、操作部６の誤操作を防止することが向上できる点にある。
【００２２】
実施の形態４．
実施の形態４による端子台５０を図９〜図１２に示す。この実施の形態４と、実施の形態１による図１と相違する点は、図９に示す如く台座１Ａに設けた開口７が本体１の長手方向中央部付近に１箇所設けていること、および図１２に示す如く、短絡板５の導体５ＡがＳ１〜Ｓ４ブロックを短絡するのに必要な数の３個を導電性の連結体５Ｂでもって一体的に結合し、電気的に短絡した構成としている。
【００２３】
図１０では短絡板５の導体５Ａによって各ブロックＳ１〜Ｓ４間のめねじ部３Ａ〜３Ｄが短絡された状態を示し、図１１では短絡板５が開口７内を図１１の上方にスライドしてめねじ部３Ａ〜３Ｄが絶縁状態を示している。
実施の形態４は上記の構成を採用しているので、同じ側例えば本体１の前面側に配置されたすべての取付部９のめねじ部３Ａをワンタッチで短絡もしくは絶縁状態とすることが可能となり、作業が単純化される。
【００２４】
実施の形態５．
実施の形態５による端子台５０を図１３〜図１６に示す。この実施の形態５は、前述した実施の形態４では短絡板５を挿入する開口７が、台座１Ａの前面および背面であったのを、図１３の左側から右側に示す台座１Ａの両側面１Ｂに到る貫通する開口７とするとともに、短絡板５を図１６に示す如く、Ｓ１〜Ｓ４ブロックに対応した数の３個の導体５Ａを操作部６に一体的に形成したものである。
【００２５】
尚、短絡板５を移動させて各Ｓ１〜Ｓ４ブロックを短絡状態あるいは絶縁状態とした場合において、短絡板５の操作部６が図１３に示した本体１の左側の側面１Ｂまたは右側の側面１Ｂから突出するような長さ形状を有している。また、開口７は、挿入される短絡板５の導体５Ａが、めねじ部３Ｂの下面に接触可能な位置に設けられている。
【００２６】
図１４はブロックＳ１〜Ｓ４のめねじ部３Ａ〜３Ｄがすべて導体５Ａで短絡状態にあるとともに、操作部６が図１４の下方の側面１Ｂから突出していることを示す。また、図１５はめねじ部３Ａ〜３Ｄが絶縁状態であるとともに、操作部６が図１４の上方の側面１Ｂから突出していることを示している。この実施の形態５では上記構成を採用しているので、操作部６の突出状態を確認することで、各ブロックＳ１〜Ｓ４が短絡状態か絶縁状態かを容易に判断できるとともに、ワンタッチで状態の可変を行うことができるという効果がある。
【００２７】
実施の形態６．
実施の形態６による端子台５０を図１７、図１８に示す。実施の形態１で示した側隔壁４は台座１Ａと一体的に設けた構成に対して、この実施の形態６は、側隔壁４を抜き差し可能な構成とするとともに、めねじ部３Ａの各ブロックに対向する側にバネ性を備えたＣ字形状の接触部３１を接合したものである。図１７は側隔壁４がバネ性接触部３１を押し縮め各ブロックＳ１〜Ｓ４間を絶縁状態とした様子を示す。また、図１８は側隔壁４を上方に抜くことにより隣接するバネ性接触部３１が接触してＳ１とＳ２間を短絡状態とした様子を示す。
【００２８】
短絡状態から絶縁状態にするには、側隔壁４を差し込むことによってなされる。尚、この側隔壁４の先端は、図１に示した対面隔壁４Ａに溝を設けて保持されているが、図示省略している。また、本体１の上部に保護カバーを設け、この保護カバーに側隔壁４を各ブロック間を仕切るようかつ抜き差し可能なよう溝を設けて側隔壁４の上部がカバーから突出させるよう支持してもよい。この構成を採用することで、側隔壁４の移動状態で、短絡、絶縁状態が容易に判断できるという効果がある。
【００２９】
尚、この発明は、その発明の範囲内において、各実施の形態を自由に組み合わせたり、各実施の形態を適宜、変形、省略することが可能である。
【符号の説明】
【００３０】
１  本体、１Ａ  台座、２  端子ねじ、３  めねじ部、４  側隔壁、４Ａ  対面隔壁、５  短絡板、５Ａ  導体、６  操作部、７  開口、９  取付部、２０  端子、
３１  バネ性接触部、５０  端子台。
【図１】
2017188343.tif 000003
【図２】
2017188343.tif 000004
【図３】
2017188343.tif 000005
【図４】
2017188343.tif 000006
【図５】
2017188343.tif 000007
【図６】
2017188343.tif 000008
【図７】
2017188343.tif 000009
【図８】
2017188343.tif 000010
【図９】
2017188343.tif 000011
【図１０】
2017188343.tif 000012
【図１１】
2017188343.tif 000013
【図１２】
2017188343.tif 000014
【図１３】
2017188343.tif 000015
【図１４】
2017188343.tif 000016
【図１５】
2017188343.tif 000017
【図１６】
2017188343.tif 000018
【図１７】
2017188343.tif 000019
【図１８】
2017188343.tif 000020